(57)【要約】      （修正有）【課題】照明光の輝度の不均一性を緩和することが可能な電子機器を提供する。【解決手段】液晶パネルと、液晶パネルを照明する照明装置ＩＬと、を備え、照明装置ＩＬは、第１側面Ｓ１と、液晶パネルに対向する主面と、ノッチまたは貫通孔からなる開口部ＯＰ１と、を有する導光板ＬＧと、第１側面Ｓ１に対向する第１光源ＥＭＡと、第１光源ＥＭＡより開口ＯＰ１に近接した第２光源ＥＭＢと、を備えた電子機器１００。【選択図】図２
2020034747.tif 000002
【特許請求の範囲】
【請求項１】
液晶パネルと、
前記液晶パネルを照明する照明装置と、を備え、
前記照明装置は、
第１側面と、前記液晶パネルに対向する主面と、ノッチまたは貫通孔からなる開口部と、を有する導光板と、
前記第１側面に対向する第１光源と、
前記第１光源より前記開口部に近接した第２光源と、
を備えた電子機器。
【請求項２】
前記第２光源は、前記第１光源より小さい、請求項１に記載の電子機器。
【請求項３】
さらに、前記液晶パネルに重畳し、前記液晶パネルを介して受光するカメラを備え、
前記カメラは、前記開口部に設けられている、請求項１に記載の電子機器。
【請求項４】
さらに、前記液晶パネルに重畳し、前記液晶パネルを介してセンシングするセンサを備え、
前記センサは、前記開口部に設けられている、請求項３に記載の電子機器。
【請求項５】
さらに、配線基板を備え、
前記カメラ及び前記センサの少なくとも一方、及び、前記第２光源は、前記配線基板と電気的に接続されている、請求項４に記載の電子機器。
【請求項６】
前記導光板は、前記第１側面の反対側の第２側面を有し、
前記開口部は、貫通孔であり、前記第１側面と前記第２側面との間に位置し、
前記第２光源は、前記第２側面に対向している、請求項１乃至５のいずれか１項に記載の電子機器。
【請求項７】
さらに、前記導光板を収容するケースを備え、
前記ケースは、前記第２側面に対向する第１側壁及び第２側壁を有し、
前記第２光源は、前記第１側壁と前記第２側壁との間に設けられている、請求項６に記載の電子機器。
【請求項８】
前記開口部は、ノッチであり、
前記第２光源は、前記開口部に設けられている、請求項１乃至５のいずれか１項に記載の電子機器。
【請求項９】
前記第２光源は、前記液晶パネルに対向する発光面を有し、
前記発光面の法線は、前記液晶パネルのうち、前記カメラの直上の領域を交差するように傾斜している、請求項３乃至５のいずれか１項に記載の電子機器。
【請求項１０】
さらに、前記液晶パネルと前記第２光源との間に位置する散乱制御素子を備え、
前記散乱制御素子は、透明状態と散乱状態とを切り替え可能に構成されている、請求項８または９に記載の電子機器。
【請求項１１】
前記第２光源は、前記カメラの内部に設けられている、請求項３乃至５のいずれか１項に記載の電子機器。
【請求項１２】
前記第２光源は、前記カメラと前記液晶パネルとの間に設けられている、請求項３乃至５のいずれか１項に記載の電子機器。
【請求項１３】
さらに、前記第２光源と前記液晶パネルとの間に位置する波長変換素子を備え、
前記波長変換素子は、前記第２光源からの光の波長を他の波長に変換する、請求項１２に記載の電子機器。
【発明の詳細な説明】
【技術分野】
【０００１】
本発明の実施形態は、電子機器に関する。
【背景技術】
【０００２】
近年、表示部及びカメラを同一面側に備えたスマートフォン等の電子機器が広く実用化されている。このような電子機器では、カメラ等が表示部の外側に設けられており、カメラ等を設置するためのスペースを確保する一方で、表示部の外側の額縁幅を縮小する要望が高まっている。また、このような表示部を照明する照明装置（バックライトユニット）においては、照明光の輝度の均一化が要望されている。
【先行技術文献】
【特許文献】
【０００３】
【特許文献１】特開２０１７−４０９０８号公報
【発明の概要】
【発明が解決しようとする課題】
【０００４】
本実施形態の目的は、照明光の輝度の不均一性を緩和することが可能な照明装置を組み込んだ電子機器を提供することにある。
【課題を解決するための手段】
【０００５】
本実施形態によれば、
液晶パネルと、前記液晶パネルを照明する照明装置と、を備え、前記照明装置は、第１側面と、前記液晶パネルに対向する主面と、ノッチまたは貫通孔からなる開口部と、を有する導光板と、前記第１側面に対向する第１光源と、前記第１光源より前記開口部に近接した第２光源と、を備えた電子機器が提供される。
【図面の簡単な説明】
【０００６】
【図１】図１は、本実施形態の照明装置ＩＬを備えた電子機器１００の一構成例を示す分解斜視図である。
【図２】図２は、図１に示した電子機器１００の平面図である。
【図３】図３は、図２に示したＡ−Ｂ線に沿った電子機器１００の断面図である。
【図４】図４は、図３に示した液晶パネルＰＮＬの一構成例を示す平面図である。
【図５】図５は、図４に示した画素ＰＸ１を含む液晶素子ＬＣＤの断面図である。
【図６】図６は、図４に示した画素ＰＸ２を含む液晶素子ＬＣＤの断面図である。
【図７】図７は、電子機器１００の他の構成例を示す平面図である。
【図８】図８は、電子機器１００の他の構成例を示す分解斜視図である。
【図９】図９は、図８に示した電子機器１００の平面図である。
【図１０】図１０は、図９に示したＣ−Ｄ線に沿った電子機器１００の断面図である。
【図１１】図１１は、電子機器１００の他の構成例を示す平面図である。
【図１２】図１２は、図１１に示したＥ−Ｆ線に沿った電子機器１００の断面図である。
【図１３】図１３は、電子機器１００の他の構成例を示す断面図である。
【図１４】図１４は、電子機器１００の他の構成例を示す断面図である。
【図１５】図１５は、電子機器１００の他の構成例を示す断面図である。
【発明を実施するための形態】
【０００７】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
図１は、本実施形態の照明装置ＩＬを備えた電子機器１００の一構成例を示す分解斜視図である。一例では、第１方向Ｘ、第２方向Ｙ、及び、第３方向Ｚは、互いに直交しているが、９０度以外の角度で交差していてもよい。
【０００９】
照明装置ＩＬは、導光板ＬＧと、光源ＥＭＡと、光源ＥＭＢと、ケースＣＳと、を備えている。照明装置ＩＬは、さらに複数の光学シートＯＳ及び反射シートＲＳを備えているが、ここでの図示を省略している。このような照明装置ＩＬは、例えば、図１において点線で簡略化して示す液晶パネルＰＮＬを照明するものである。
【００１０】
導光板ＬＧは、第１方向Ｘ及び第２方向Ｙによって規定されるＸ−Ｙ平面と平行な平板状に形成されている。導光板ＬＧは、側面Ｓ１乃至Ｓ４と、主面ＭＳと、開口部ＯＰ１と、を有している。側面Ｓ２は側面Ｓ１の反対側に位置し、側面Ｓ１及びＳ２はそれぞれ第１方向Ｘに沿って延出している。側面Ｓ４は側面Ｓ３の反対側に位置し、側面Ｓ３及びＳ４はそれぞれ第２方向Ｙに沿って延出している。主面ＭＳは、Ｘ−Ｙ平面と平行な面である。例えば、側面Ｓ１及びＳ２は、第１方向Ｘ及び第３方向Ｚによって規定されるＸ−Ｚ平面と平行な面である。また、側面Ｓ３及びＳ４は、第２方向Ｙ及び第３方向Ｚによって規定されるＹ−Ｚ平面と平行な面である。開口部ＯＰ１は、導光板ＬＧを第３方向Ｚに沿って貫通した貫通孔である。開口部ＯＰ１は、第２方向Ｙにおいて、側面Ｓ１及び側面Ｓ２の間に位置し、側面Ｓ１よりも側面Ｓ２に近接している。
【００１１】
複数の光源ＥＭＡは、第１方向Ｘに沿って間隔をおいて並んでいる。光源ＥＭＡの各々は、配線基板Ｆ１と電気的に接続されている。  
光源ＥＭＢは、配線基板Ｆ２と電気的に接続されている。なお、図１では、１個の光源ＥＭＢのみが図示されているが、複数の光源ＥＭＢが間隔をおいて並んでいてもよい。  
光源ＥＭＡ及びＥＭＢは、例えば、発光ダイオード（ＬＥＤ）であり、白色の照明光を出射する。なお、赤、緑、青等の異なる色の光を出射する発光ダイオード（ＬＥＤ）を並置して用いてもよい。この場合、各色の発光ダイオード（ＬＥＤ）を順次発光させ、これに合わせて各色表示を順次切り替えることで、カラー表示を実現する、所謂フィールドシーケンシャル方式を用いることができる。
【００１２】
ケースＣＳは、導光板ＬＧ及び光源ＥＭＡを収容している。ケースＣＳは、側壁Ｗ１乃至Ｗ５と、底板ＢＰと、開口部ＯＰ２及びＯＰ３と、突部ＰＰと、を有している。側壁Ｗ１及びＷ２は、第１方向Ｘに沿って延出し、第１方向Ｘに沿って間隔をおいて並んでいる。つまり、側壁Ｗ１と側壁Ｗ２との間には、側壁が存在しない開口部ＯＰ２が形成される。側壁Ｗ３及びＷ４は、第２方向Ｙに沿って延出し、互いに対向している。側壁Ｗ５は、第１方向Ｘに沿って延出し、側壁Ｗ１及びＷ２に対向している。側壁Ｗ３は側壁Ｗ１に繋がり、側壁Ｗ４は側壁Ｗ２に繋がり、側壁Ｗ５は側壁Ｗ３及びＷ４に繋がっている。開口部ＯＰ３は、底板ＢＰを第３方向Ｚに沿って貫通した貫通孔である。開口部ＯＰ３は、第３方向Ｚにおいて、開口部ＯＰ１に重畳している。突部ＰＰは、底板ＢＰから第３方向Ｚに突出し、開口部ＯＰ３を囲むように設けられている。
【００１３】
このような照明装置ＩＬを組み込んだ電子機器１００は、カメラ１Ａ及びセンサ１Ｂを備えている。図示した例では、カメラ１Ａ及びセンサ１Ｂは、第１方向Ｘに沿って間隔をおいて並び、第３方向Ｚにおいて開口部ＯＰ３に重畳するように設けられている。カメラ１Ａ及びセンサ１Ｂの少なくとも一方は、光源ＥＭＢと共通の配線基板Ｆ２と電気的に接続されている。なお、カメラ１Ａ及びセンサ１Ｂのうちの一方が光源ＥＭＢとともに配線基板Ｆ２と電気的に接続され、カメラ１Ａ及びセンサ１Ｂのうちの他方が光源ＥＭＢとは別の配線基板と電気的に接続されていてもよい。
【００１４】
カメラ１Ａは、例えば、可視光を受光するものであるが、これに限らず、赤外線を検出するものであってもよい。センサ１Ｂは、例えば、検出対象物の近接をセンシングする近接センサであるが、これに限らず、検出対象物に向けて赤外線を投射する投射素子と、検出対象物から反射された赤外線を検出する検出素子とを備えたものである。カメラ１Ａは可視光用のカメラであり、センサ１Ｂは近接センサである場合、別途、複数のドット状のパターンを形成するように検出対象物に向けて赤外線を投射する投射素子と、検出対象物から反射された赤外線のドットパターンを検出する赤外線用のカメラと、を設けてもよい。
【００１５】
図２は、図１に示した電子機器１００の平面図である。光源ＥＭＡは、導光板ＬＧの側面Ｓ１とケースＣＳの側壁Ｗ５との間に配置され、側面Ｓ１に対向している。なお、図１に示した配線基板Ｆ１の図示を省略している。側壁Ｗ１及びＷ２は側面Ｓ２に対向し、側壁Ｗ３は側面Ｓ３に対向し、側壁Ｗ４は側面Ｓ４に対向している。ケースＣＳの突部ＰＰは、導光板ＬＧの開口部ＯＰ１の内側に位置している。カメラ１Ａ及びセンサ１Ｂは、ケースＣＳの開口部ＯＰ３の内側に設けられている。光源ＥＭＢは、側壁Ｗ１及びＷ２の間に設けられている。つまり、光源ＥＭＢは、ケースＣＳの開口部ＯＰ２に位置し、導光板ＬＧの側面Ｓ２に対向している。  
光源ＥＭＢは、光源ＥＭＡよりも開口部ＯＰ１に近接している。すなわち、光源ＥＭＢと開口部ＯＰ１との間の第２方向Ｙに沿った距離ＹＢは、光源ＥＭＡと開口部ＯＰ１との間の第２方向Ｙに沿った距離ＹＡよりも短い。
【００１６】
光源ＥＭＢは、光源ＥＭＡより小さい。すなわち、光源ＥＭＡは、第１方向Ｘに沿った長さＡＸと、第２方向Ｙに沿った長さＡＹと、を有している。光源ＥＭＢは、第１方向Ｘに沿った長さＢＸと、第２方向Ｙに沿った長さＢＹと、を有している。長さＢＸは長さＡＸより小さく、長さＢＹは長さＡＹより小さい。
【００１７】
開口部ＯＰ３は、開口部ＯＰ１の内側に位置している。図示した例では、開口部ＯＰ１及びＯＰ３は、いずれも平面視で長円形状であるが、円形や多角形などの他の形状であってもよい。
【００１８】
光源ＥＭＡから出射された照明光Ｌ１は、側面Ｓ１から入射し、導光板ＬＧの内部を第２方向Ｙに沿って側面Ｓ１から側面Ｓ２に向かって進行する。これにより、照明光Ｌ１は、側面Ｓ１と側面Ｓ２との間の領域、及び、側面Ｓ１と開口部ＯＰ１との間の領域に伝播される。しかしながら、照明光Ｌ１は、開口部ＯＰ１と側面Ｓ２との間の領域には伝播しにくい。  
光源ＥＭＢから出射された照明光Ｌ２は、側面Ｓ２から入射し、開口部ＯＰ１に向かって進行する。つまり、照明光Ｌ２は、開口部ＯＰ１と側面Ｓ２との間の領域に伝播される。したがって、本実施形態によれば、照明装置ＩＬにおいて、導光板ＬＧに開口部ＯＰ１を設けたことに起因する照明光の輝度の不均一性を緩和することが可能となる。
【００１９】
また、光源ＥＭＢは、光源ＥＭＡより小さく、しかも、ケースＣＳの側壁Ｗ１及びＷ２の間の開口部ＯＰ２に配置されている。このため、光源ＥＭＢを配置したことによる額縁幅の拡大を抑制することができる。
【００２０】
また、カメラ１Ａ、センサ１Ｂ、及び、光源ＥＭＢが同一の配線基板Ｆ２に接続されているため、コネクタの個数を削減するでき、配線基板を設けるスペースを縮小することができる。また、部品点数を削減することができ、製造コストの削減及び製造工程の簡素化が可能となる。
【００２１】
本実施形態において、光源ＥＭＡは第１光源に相当し、光源ＥＭＢは第２光源に相当し、側面Ｓ１は第１側面に相当し、側面Ｓ２は第２側面に相当する。
【００２２】
図３は、図２に示したＡ−Ｂ線に沿った電子機器１００の断面図である。ここでは、液晶パネルＰＮＬ、カメラ１Ａ、光源ＥＭＡ及びＥＭＢ等を含む第２方向Ｙに沿った電子機器１００の断面を示している。電子機器１００は、カメラ１Ａ及びセンサ１Ｂ等の他にさらに、第１偏光板ＰＬ１と、液晶パネルＰＮＬと、第２偏光板ＰＬ２と、光学シートＯＳと、反射シートＲＳと、を備えている。
【００２３】
反射シートＲＳ、導光板ＬＧ、及び、光学シートＯＳは、第３方向Ｚに沿ってこの順に配置され、ケースＣＳに収容されている。ケースＣＳは、金属製のケースＣＳ１と、樹脂製のケースＣＳ２とを備えている。光学シートＯＳは、例えば、プリズムシートや拡散シートである。光学シートＯＳの各々は、開口部ＯＰ１に重畳する開口部ＯＰ４を有している。反射シートＲＳは、開口部ＯＰ１に重畳する開口部ＯＰ５を有している。ケースＣＳの突部ＰＰは、開口部ＯＰ１、ＯＰ４、ＯＰ５の内側に位置している。
【００２４】
光学シートＯＳと突部ＰＰとの隙間は、遮光テープＴＰによって遮光されている。これにより、導光板ＬＧを進行する照明光が突部ＰＰの近傍において散乱したとしても、その散乱光の漏れが抑制される。また、光学シートＯＳと突部ＰＰとの隙間への異物の進入が抑制される。  
配線基板Ｆ１と光学シートＯＳとの隙間、及び、光学シートＯＳと光源ＥＭＢとの隙間も同様に、遮光テープＴＰによって遮光されている。光源ＥＭＡは、側面Ｓ１に対向した発光面ＡＦを有している。光源ＥＭＢは、側面Ｓ２に対向した発光面ＢＦを有している。
【００２５】
第１偏光板ＰＬ１、液晶パネルＰＮＬ、及び、第２偏光板ＰＬ２は、第３方向Ｚに沿ってこの順に配置され、第３方向Ｚに沿って進行する光に対して、光学的なスイッチ機能を備えた液晶素子ＬＣＤを構成している。遮光テープＴＰは、例えば両面接着テープであり、第１偏光板ＰＬ１とケースＣＳ、または、第１偏光板ＰＬ１と光学シートＯＳとを接着している。
【００２６】
液晶パネルＰＮＬは、基板主面に沿った横電界を利用する表示モード、基板主面の法線に沿った縦電界を利用する表示モード、基板主面に対して斜め方向に傾斜した傾斜電界を利用する表示モード、さらには、上記の横電界、縦電界、及び、傾斜電界を適宜組み合わせて利用する表示モードに対応したいずれの構成を備えていてもよい。ここでの基板主面とは、Ｘ−Ｙ平面に平行な面である。
【００２７】
液晶パネルＰＮＬは、画像を表示する表示部ＤＡと、表示部ＤＡの囲む非表示部ＮＤＡと、を備えている。液晶パネルＰＮＬは、第１基板ＳＵＢ１と、第２基板ＳＵＢ２と、液晶層ＬＣと、シールＳＥと、を備えている。シールＳＥは、非表示部ＮＤＡに位置し、第１基板ＳＵＢ１と第２基板ＳＵＢ２とを接着するとともに、液晶層ＬＣを封止している。
【００２８】
以下、第１基板ＳＵＢ１及び第２基板ＳＵＢ２の主要部について説明する。第１基板ＳＵＢ１は、第１絶縁基板１０と、配向膜ＡＬ１と、を備えている。第２基板ＳＵＢ２は、第２絶縁基板２０と、カラーフィルタ層ＣＦと、遮光層ＢＭＡと、透明層ＯＣと、配向膜ＡＬ２と、を備えている。  
第１絶縁基板１０及び第２絶縁基板２０は、ガラス基板や可撓性の樹脂基板などの透明基板である。配向膜ＡＬ１及びＡＬ２は、液晶層ＬＣに接している。  
カラーフィルタ層ＣＦ、遮光層ＢＭＡ、及び、透明層ＯＣは、第２絶縁基板２０と液晶層ＬＣとの間に位置している。なお、図示した例では、カラーフィルタ層ＣＦは、第２基板ＳＵＢ２に設けられたが、第１基板ＳＵＢ１に設けられてもよい。  
遮光層ＢＭＡは、非表示部ＮＤＡに位置している。表示部ＤＡと非表示部ＮＤＡとの境界Ｂは、例えば、遮光層ＢＭＡの内端（表示部ＤＡ側の端部）によって規定される。シールＳＥは、遮光層ＢＭＡと重畳する位置に設けられている。  
カラーフィルタ層ＣＦの詳細については、ここでは省略するが、カラーフィルタ層ＣＦは、例えば、赤画素に配置される赤カラーフィルタ、緑画素に配置される緑カラーフィルタ、及び、青画素に配置される青カラーフィルタを備えている。また、カラーフィルタ層ＣＦは、白画素に配置される透明樹脂層を備えている場合もある。透明層ＯＣは、カラーフィルタ層ＣＦ及び遮光層ＢＭＡを覆っている。透明層ＯＣは、例えば、透明な有機絶縁膜である。
【００２９】
表示部ＤＡは、カラーフィルタ層ＣＦが配置された領域Ａ１と、カラーフィルタ層ＣＦが配置されていない領域Ａ２と、を有している。透明層ＯＣは、領域Ａ１及び領域Ａ２に亘って配置され、領域Ａ１においてはカラーフィルタ層ＣＦに接し、領域Ａ２においては第２絶縁基板２０に接している。配向膜ＡＬ１と配向膜ＡＬ２とは、領域Ａ１及び領域Ａ２に亘って設けられている。
【００３０】
カメラ１Ａは、ケースＣＳの開口部ＯＰ３に重畳するように設けられ、突部ＰＰで囲まれた内側に位置している。また、図２に示したセンサ１Ｂも同様に、開口部ＯＰ３に重畳するように設けられている。カメラ１Ａ及びセンサ１Ｂは、第３方向Ｚにおいて、液晶パネルＰＮＬ、第１偏光板ＰＬ１及び第２偏光板ＰＬ２に重畳している。尚、カメラ１Ａ及びセンサ１Ｂのうち、一部、或いは、全ては、第３方向Ｚにおいて、液晶パネルＰＮＬの表示部ＤＡと重畳している。つまり、液晶パネルＰＮＬとカメラ１Ａとを有する電子機器１００において、電子機器１００の使用者からみて、カメラ１Ａが液晶パネルＰＮＬの奥に設けられていればよい。
【００３１】
図示したカメラ１Ａと表示部ＤＡとの位置関係に着目すると、カメラ１Ａは、領域Ａ２に重畳している。つまり、カラーフィルタ層ＣＦは、カメラ１Ａに重畳していない。また、センサ１Ｂも、カメラ１Ａと同様に、領域Ａ２に重畳しており、カラーフィルタ層ＣＦに重畳していない。
【００３２】
カメラ１Ａは、例えば、少なくとも一つのレンズを含む光学系２と、イメージセンサ（撮像素子）３と、ケース４と、を備えている。ケース４は、光学系２及びイメージセンサ３を収容している。光学系２は、液晶パネルＰＮＬとイメージセンサ３との間に位置している。イメージセンサ３は、液晶パネルＰＮＬ、第１偏光板ＰＬ１及び第２偏光板ＰＬ２を介して受光する。例えば、カメラ１Ａは、表示部ＤＡ、第１偏光板ＰＬ１及び第２偏光板ＰＬ２を介して透過した可視光（例えば、４００ｎｍ〜７００ｎｍの範囲の光）を受光する。第１偏光板ＰＬ１の吸収軸及び第２偏光板ＰＬ２の吸収軸が互いに直交している場合、液晶素子ＬＣＤの液晶層ＬＣを透過する光の波長をλとした時、液晶層ＬＣのリタデーションがほぼゼロまたはλに相当する場合、液晶素子ＬＣＤの透過率が最小となる。このため、カメラ１Ａで撮影する際には、液晶層ＬＣのリタデーションは、ゼロより大きくλより小さく設定される。リタデーションが約λ／２の場合には、液晶素子ＬＣＤの透過率は最大となる。
【００３３】
第１偏光板ＰＬ１は、第１絶縁基板１０に接着されている。第２偏光板ＰＬ２は、第２絶縁基板２０に接着されている。第１偏光板ＰＬ１及び第２偏光板ＰＬ２は、領域Ａ１及びＡ２に亘って配置されている。なお、第１偏光板ＰＬ１及び第２偏光板ＰＬ２は、必要に応じて位相差板、散乱層、反射防止層などを備えていてもよい。
【００３４】
図示したように、液晶層ＬＣが外部からの電界等の影響を受けないようにするため、第２偏光板ＰＬ２と第２絶縁基板２０との間に透明導電膜ＩＴを設ける場合がある。透明導電膜ＩＴは、インジウム・ティン・オキサイド（ＩＴＯ）やインジウム・ジンク・オキサイド（ＩＺＯ）等の透明な酸化物導電体からなる。透明導電膜ＩＴが赤外線の透過率の低下を招く場合には、センサ１Ｂと重畳する領域Ａ２に透明導電膜ＩＴの不形成領域を設けることで、可視光の透過率の低減を抑制することが可能となる。透明導電膜ＩＴの不形成領域を領域Ａ２よりも広くすることも可能である。赤外線の低透過率が問題とならない可視光用のカメラ１Ａと重畳する箇所では、透明導電膜ＩＴを形成してもよい。酸化物導電体よりも赤外線の透過率の高い導電性樹脂を透明導電膜ＩＴとして用いる場合は、カメラ１Ａ及びセンサ１Ｂと重畳する領域に透明導電膜ＩＴを設けることが可能である。
【００３５】
また、例えば、第１偏光板ＰＬ１または第２偏光板ＰＬ２に、超複屈折フィルムを備えることも可能である。超複屈折フィルムは、直線偏光が入射したときに透過光を非偏光化（自然光化）することが知られており、被写体に偏光を発するものが含まれていても違和感なく撮影が可能となる。例えば、カメラ１Ａの被写体に液晶表示装置等が映り込んだ場合に、液晶表示装置からは直線偏光が出射されているので、第１偏光板ＰＬ１及び第２偏光板ＰＬ２と、被写体となっている液晶表示装置の偏光板との角度との関係で、カメラ１Ａに入射する被写体の液晶表示装置の明るさが変化し、撮影時に違和感を生ずるおそれがある。しかしながら、第１偏光板ＰＬ１及び第２偏光板ＰＬ２に超複屈折フィルムを備えることで、違和感を生じさせる明るさの変化を抑えることが可能である。  
超複屈折性を示すフィルムとしては、例えば東洋紡（株）のコスモシャイン（登録商標）などが好適に用いられる。ここで超複屈折性とは、可視域、例えば５００ｎｍの光に対する面内方向のリタデーションが８００ｎｍ以上のものを言う。
【００３６】
また、第１偏光板ＰＬ１は、照明装置ＩＬからの照明光のうち、第１偏光板ＰＬ１の吸収軸と平行な偏光成分を照明装置ＩＬに向けて反射する反射層を備えている場合がある。このような第１偏光板ＰＬ１を適用した場合には、センサ１Ｂの赤外線投射素子から投射された赤外線の一部が反射層で反射されることとなり、光の利用効率が低下する。更に、反射層で反射された反射光がセンサ１Ｂに入射して悪影響を及ぼす恐れがある。このため、カメラ１Ａ及びセンサ１Ｂと重畳する領域では、第１偏光板ＰＬ１から反射層が除去されることが望ましい。  
尚、センサ１Ｂの赤外線投射素子から出射され、反射層で反射された光を再利用するため、センサ１Ｂの内部や周辺に、到達した光を反射させる反射層を設けてもよい。
【００３７】
図４は、図３に示した液晶パネルＰＮＬの一構成例を示す平面図である。図３において、液晶層ＬＣ及びシールＳＥは、異なる斜線で示している。カメラ１Ａ及びセンサ１Ｂの外形を点線で示している。表示部ＤＡは、ノッチを含まない略四角形の領域であるが、４つの角が丸みを有していてもよく、四角形以外の多角形や円形であってもよい。表示部ＤＡは、シールＳＥで囲まれた内側に位置している。
【００３８】
液晶パネルＰＮＬは、表示部ＤＡにおいて、第１方向Ｘ及び第２方向Ｙにマトリクス状に配列された画素ＰＸを備えている。表示部ＤＡにおける各画素ＰＸは、同一の回路構成を有している。図３において拡大して示すように、各画素ＰＸは、スイッチング素子ＳＷ、画素電極ＰＥ、共通電極ＣＥ、液晶層ＬＣ等を備えている。スイッチング素子ＳＷは、例えば薄膜トランジスタ（ＴＦＴ）によって構成され、走査線Ｇ及び信号線Ｓと電気的に接続されている。走査線Ｇには、スイッチング素子ＳＷを制御するための制御信号が供給される。信号線Ｓには、制御信号とは異なる信号として、映像信号が供給される。画素電極ＰＥは、スイッチング素子ＳＷと電気的に接続されている。画素電極ＰＥの各々は、共通電極ＣＥと対向し、画素電極ＰＥと共通電極ＣＥとの間に生じる電界によって液晶層ＬＣを駆動している。容量ＣＰは、例えば、共通電極ＣＥと同電位の電極、及び、画素電極ＰＥと同電位の電極の間に形成される。
【００３９】
配線基板６は、第１基板ＳＵＢ１の延出部Ｅｘに電気的に接続されている。ＩＣチップ７は、配線基板６に電気的に接続されている。なお、ＩＣチップ７は、延出部Ｅｘに電気的に接続されていてもよい。ＩＣチップ７は、例えば、画像表示に必要な信号を出力するディスプレイドライバなどを内蔵している。配線基板６は、折り曲げ可能なフレキシブルプリント回路基板である。
【００４０】
表示部ＤＡにおいて、カメラ１Ａ及びセンサ１Ｂに重畳しない画素ＰＸ１は、図３に示した領域Ａ１の画素に相当し、カラーフィルタ層ＣＦを備えている。つまり、画素ＰＸ１は、赤、緑、青のいずれかの色を表示することができる。また、画素ＰＸ１が白画素である場合には、画素ＰＸ１は、白（または透明）、グレー、黒のいずれかを表示することができる。画素ＰＸ１は、表示部ＤＡにおいて、導光板ＬＧと重畳する領域の全体に亘って配置されている。また、画素ＰＸ１は、領域Ａ２のうち、カメラ１Ａ等と重畳しない領域に配置されてもよい。
【００４１】
表示部ＤＡにおいて、カメラ１Ａ及びセンサ１Ｂに重畳する画素ＰＸ２は、図３に示した領域Ａ２の画素に相当し、カラーフィルタ層ＣＦを備えていない。つまり、画素ＰＸ２は、モノクロ表示画素であり、白（または透明）、グレー、黒のいずれかを表示することができる。なお、図４において、カメラ１Ａ及びセンサ１Ｂの外形を点線で示し、カメラ１Ａ及びセンサ１Ｂに重畳する画素ＰＸ２を示している。理想的には、画素ＰＸ２は、カメラ１Ａ等のレンズを含む光学系２と、平面視で重なるものであるが、カメラ１Ａ等のケース４と重なっていてもよい。
また、カメラ１Ａ及びセンサ１Ｂは、液晶パネルＰＮＬに重畳している。さらに、カメラ１Ａ及びセンサ１Ｂは、液晶パネルＰＮＬの表示部ＤＡに重畳している。したがって、表示部ＤＡを拡大することができる。また、非表示部ＮＤＡにカメラ１Ａ等を設置するためのスペースを設ける必要がないため、非表示部ＮＤＡの額縁幅を縮小することができる。
【００４２】
図５は、図４に示した画素ＰＸ１を含む液晶素子ＬＣＤの断面図である。ここでは、第１偏光板ＰＬ１と第２偏光板ＰＬ２との間に、横電界を利用する表示モードに対応した液晶パネルＰＮＬを備えた液晶素子ＬＣＤについて説明する。
【００４３】
第１基板ＳＵＢ１は、第１絶縁基板１０と配向膜ＡＬ１との間に、絶縁膜１１及び１２と、共通電極ＣＥと、画素電極ＰＥと、を備えている。なお、図４に示した走査線、信号線、及び、スイッチング素子は、例えば、第１絶縁基板１０と共通電極ＣＥとの間に位置している。共通電極ＣＥは、絶縁膜１１の上に位置し、絶縁膜１２によって覆われている。画素電極ＰＥは、絶縁膜１２の上に位置し、配向膜ＡＬ１によって覆われている。画素電極ＰＥは、絶縁膜１２を介して、共通電極ＣＥと対向している。共通電極ＣＥ及び画素電極ＰＥは、インジウム・ティン・オキサイド（ＩＴＯ）やインジウム・ジンク・オキサイド（ＩＺＯ）などの透明な導電材料によって形成されている。画素電極ＰＥは、線状電極であり、共通電極ＣＥは、複数の画素ＰＸ１に亘って共通に設けられた平板状の電極である。尚、画素電極ＰＥを平板状の電極とし、画素電極ＰＥと液晶層ＬＣとの間に線状の共通電極を設ける構造であってもよい。絶縁膜１１は、詳述しないが、無機絶縁膜及び有機絶縁膜を含んでいる。絶縁膜１２は、例えば、シリコン窒化物等の無機絶縁膜である。
【００４４】
第２基板ＳＵＢ２において、遮光層ＢＭＢは、図２に示した非表示部ＮＤＡの遮光層ＢＭＡと一体的に形成されている。カラーフィルタ層ＣＦは、赤カラーフィルタＣＦＲ、緑カラーフィルタＣＦＧ、及び、青カラーフィルタＣＦＢを含んでいる。緑カラーフィルタＣＦＧは、画素電極ＰＥと対向している。赤カラーフィルタＣＦＲ及び青カラーフィルタＣＦＢも、それぞれ図示しない他の画素電極ＰＥと対向している。
【００４５】
液晶素子ＬＣＤを駆動する駆動部ＤＲ１は、例えば、図４に示した走査線Ｇと電気的に接続された走査線駆動回路、及び、信号線Ｓと電気的に接続された信号線駆動回路を含んでいる。駆動部ＤＲ１は、表示部ＤＡの各画素ＰＸに対して、画像表示に必要な信号を出力し、液晶素子ＬＣＤの透過率を制御する。液晶素子ＬＣＤの透過率は、液晶層ＬＣに印加される電圧の大きさに応じて制御される。  
例えば、画素ＰＸ１において、液晶層ＬＣに電圧が印加されていないオフ状態では、液晶層ＬＣに含まれる液晶分子ＬＭは、配向膜ＡＬ１及びＡＬ２の間で所定の方向に初期配向している。このようなオフ状態では、図１に示した光源ＥＭＡから画素ＰＸ１に導光された光は、第１偏光板ＰＬ１及び第２偏光板ＰＬ２によって吸収される。このため、液晶素子ＬＣＤは、オフ状態の画素ＰＸ１において、黒を表示する。  
一方、液晶層ＬＣに電圧が印加されたオン状態では、液晶分子ＬＭは、画素電極ＰＥと共通電極ＣＥとの間に形成された電界により初期配向方向とは異なる方向に配向し、その配向方向は電界によって制御される。このようなオン状態では、画素ＰＸ１に導光された光の一部は、第１偏光板ＰＬ１及び第２偏光板ＰＬ２を透過する。このため、液晶素子ＬＣＤは、オン状態の画素ＰＸ１において、カラーフィルタ層ＣＦに応じた色を表示する。
上記の例は、オフ状態で黒を表示する所謂ノーマリーブラックモードに相当するが、オン状態で黒を表示する（オフ状態で白を表示する）ノーマリーホワイトモードが適用されてもよい。
【００４６】
図６は、図４に示した画素ＰＸ２を含む液晶素子ＬＣＤの断面図である。画素ＰＸ２は、図５に示した画素ＰＸ１と比較して、第２基板ＳＵＢ２がカラーフィルタ層ＣＦ及び遮光層ＢＭＢを備えていない点で相違している。すなわち、透明層ＯＣは、画素電極ＰＥの直上において、第２絶縁基板２０に接している。尚、透明層ＯＣの厚みを調整するため、透明層ＯＣと第２絶縁基板２０との間に、透明樹脂層を設けてもよい。
【００４７】
液晶素子ＬＣＤの画素ＰＸ２における透過率は、画素ＰＸ１と同様に、駆動部ＤＲ１により制御される。すなわち、液晶素子ＬＣＤは、液晶層ＬＣに電圧が印加されていないオフ状態の画素ＰＸ２において、画素ＰＸ１と同様に、最小透過率となり、黒を表示する。
一方、液晶層ＬＣに電圧が印加されたオン状態では、画素ＰＸ２に導光された光の一部は、第１偏光板ＰＬ１及び第２偏光板ＰＬ２を透過する。液晶素子ＬＣＤは、オン状態の画素ＰＸ２において、最大透過率の場合に、白を表示する、あるいは、透明状態となる。また、上記の通り、液晶素子ＬＣＤは、最小透過率と最大透過率との間の中間透過率となるように制御され、グレーを表示する場合もありうる。尚、図６では、共通電極ＣＥが平板状に形成されているが、画素ＰＸ２については、共通電極ＣＥに開口を設ける構成であってもよい。また、画素電極ＰＥを共通電極ＣＥよりも絶縁基板側に設ける構成の場合は、画素電極ＰＥに開口を設けてもよい。更には、画素電極ＰＥと共通電極ＣＥとを線状電極としてもよい。この場合、線状の画素電極ＰＥと線状の共通電極ＣＥとを同一の層に設けることも可能である。また、画素電極ＰＥと共通電極ＣＥとを絶縁膜を介して別層に設けることも可能である。液晶層ＬＣを用いて液晶レンズを形成する場合、平板状の電極と線状の電極とでレンズを形成するよりも、線状の画素電極ＰＥと線状の共通電極ＣＥとレンズを形成した場合の方がレンズ特性の自由度を高めることが可能となる。
【００４８】
図７は、電子機器１００の他の構成例を示す平面図である。図６に示した構成例は、図１に示した構成例と比較して、センサ１Ｂを省略し、カメラ１ＡがケースＣＳの側壁Ｗ３または側壁Ｗ４に近接している点で相違している。図示した例において、カメラ１Ａは、側壁Ｗ３に近接している。導光板ＬＧの開口部ＯＰ１は、側面Ｓ３及びＳ４の間において、側面Ｓ３に近接している。ケースＣＳの開口部ＯＰ３及び突部ＰＰは、側壁Ｗ３及びＷ４の間において、側壁Ｗ３に近接している。カメラ１Ａは、突部ＰＰの内側に位置している。なお、開口部ＯＰ１及びＯＰ２は円形に形成されているが、これに限らず、楕円形などの他の形状であってもよい。光源ＥＭＢは、側面Ｓ２に対向し、側壁Ｗ１と側壁Ｗ２との間に位置している。側壁Ｗ１の第１方向Ｘに沿った長さは、側壁Ｗ２の長さより短い。カメラ１Ａ及び光源ＥＭＢは、突部ＰＰを挟んで第２方向Ｙに並んでいる。  
このような構成例においても、上記の構成例と同様の効果が得られる。
【００４９】
図８は、電子機器１００の他の構成例を示す分解斜視図である。図８に示した構成例は、図１に示した構成例と比較して、導光板ＬＧの開口部ＯＰ１が側面Ｓ２から側面Ｓ１に向かって窪んだ凹部あるいはノッチである点で相違している。
【００５０】
ケースＣＳにおいて、開口部ＯＰ３は、第３方向Ｚにおいて、開口部ＯＰ１に重畳している。図示した例では、開口部ＯＰ３は、底板ＢＰを貫通した貫通孔である。突部ＰＰは、開口部ＯＰ３を囲むように設けられ、側壁Ｗ１及びＷ２に繋がっている。また、図示した例では、突部ＰＰとともに開口部ＯＰ３を囲む側壁Ｗ６が設けられている。なお、側壁Ｗ６が省略されてもよく、この場合には、開口部ＯＰ３は、開口部ＯＰ１と同様の凹部あるいはノッチとして形成される。
【００５１】
光源ＥＭ１、カメラ１Ａ、センサ１Ｂ、及び、光源ＥＭ２は、第１方向Ｘに沿って間隔をおいて並び、第３方向Ｚにおいて開口部ＯＰ３に重畳するように設けられている。光源ＥＭ１、カメラ１Ａ、センサ１Ｂ、及び、光源ＥＭ２は、配線基板Ｆ２と電気的に接続されている。なお、カメラ１Ａ及びセンサ１Ｂがそれぞれ異なる配線基板と電気的に接続され、カメラ１Ａ及び光源ＥＭ１が同一の配線基板に接続され、センサ１Ｂ及び光源ＥＭ２が同一の配線基板に接続されてもよい。
【００５２】
なお、液晶パネルＰＮＬは、導光板ＬＧに重畳するとともに、開口部ＯＰ１においてカメラ１Ａ、センサ１Ｂ、光源ＥＭ１及びＥＭ２にも重畳している。
【００５３】
図８に示した構成例において、光源ＥＭＡは第１光源に相当し、光源ＥＭ１及びＥＭ２は第２光源に相当する。
【００５４】
図９は、図８に示した電子機器１００の平面図である。ケースＣＳの突部ＰＰ及び開口部ＯＰ３は、導光板ＬＧの開口部ＯＰ１の内側に位置している。カメラ１Ａ、センサ１Ｂ、光源ＥＭ１及びＥＭ２は、ケースＣＳの開口部ＯＰ３の内側に設けられている。光源ＥＭ１及びＥＭ２は、光源ＥＭＡよりも開口部ＯＰ１に近接している。すなわち、本構成例においては、光源ＥＭＡが側面Ｓ１と側壁Ｗ５との間に設けられ、光源ＥＭ１及びＥＭ２が開口部ＯＰ１に設けられている。また、光源ＥＭ１及びＥＭ２は、光源ＥＭＡより小さい。  
なお、図示した例において、２個の光源ＥＭ１及びＥＭ２が開口部ＯＰ１に設けられているが、さらに多くの光源が開口部ＯＰ１に設けられてもよい。
【００５５】
図１０は、図９に示したＣ−Ｄ線に沿った電子機器１００の断面図である。電子機器１００は、さらに、散乱制御素子ＳＴを備えている。散乱制御素子ＳＴは、透明状態と散乱状態とを切り替え可能に構成されている。散乱制御素子ＳＴは、液晶パネルＰＮＬと光源ＥＭ１及びＥＭ２との間、及び、液晶パネルＰＮＬとカメラ１Ａ及びセンサ１Ｂとの間に位置している。図示した例では、散乱制御素子ＳＴは、ケースＣＳの突部ＰＰと第１偏光板ＰＬ１との間に固定されているが、第１偏光板ＰＬ１に接着されることで固定されていてもよい。また、散乱制御素子ＳＴは、開口部ＯＰ３を覆うように配置されていてもよい。
【００５６】
ここで、散乱制御素子ＳＴの一構成例について説明する。散乱制御素子ＳＴは、ポリマーに液晶分子が分散された高分子分散型液晶を備えた液晶パネルである。ポリマー及び液晶分子の各々は、光学異方性あるいは屈折率異方性を有している。一例では、ポリマーの配向方向は、電界の有無にかかわらずほとんど変化しない。一方、液晶分子の配向方向は、しきい値以上の高い電圧が印加された状態では、電界に応じて変化する。ポリマー及び液晶分子のそれぞれの光軸が互いに平行な状態では、散乱制御素子ＳＴに入射した光は、ほとんど散乱されることなく透過する（透明状態）。ポリマー及び液晶分子のそれぞれの光軸が互いに交差した状態では、散乱制御素子ＳＴに入射した光は、散乱される（散乱状態）。  
このような散乱制御素子ＳＴは、駆動部ＤＲ２によって制御される。駆動部ＤＲ２は、散乱制御素子ＳＴに印加する電圧を制御することで、透明状態と散乱状態とを切り替える。
【００５７】
カメラ１Ａ及びセンサ１Ｂは、発光素子ＥＭ１及びＥＭ２の間に位置している。光源ＥＭ１は液晶パネルＰＮＬに対向する発光面１Ｆを有し、光源ＥＭ２は液晶パネルＰＮＬに対向する発光面２Ｆを有している。発光面１Ｆ及び２Ｆは、それぞれカメラ１Ａ及びセンサ１Ｂに向かって傾斜している。より具体的には、発光面１Ｆの法線は、液晶パネルＰＮＬのうち、カメラ１Ａの直上の領域を交差するように傾斜している。発光面２Ｆの法線は、液晶パネルＰＮＬのうち、センサ１Ｂの直上の領域を交差するように傾斜している。発光面１Ｆ及び２Ｆの傾きは、例えば、発光素子が傾斜した状態でケースに保持されることで実現できる。あるいは、発光素子の前面に光学系を設け、発光素子からの光を屈折させてもよい。  
これらのカメラ１Ａ、センサ１Ｂ、発光素子ＥＭ１及びＥＭ２は、駆動部ＤＲ３によって制御される。
【００５８】
次に、駆動部ＤＲ１乃至ＤＲ３による制御例について説明する。  
カメラ１Ａ及びセンサ１Ｂの少なくとも一方を使用する際には、駆動部ＤＲ１は、液晶素子ＬＣＤにおいて少なくとも領域Ａ２が透明状態となるように制御する。望ましくは、液晶層ＬＣのリタデーションが約λ／２に設定され、液晶素子ＬＣＤの透過率が最大となるように制御される。  
駆動部ＤＲ２は、散乱制御素子ＳＴが透明状態となるように制御する。  
駆動部ＤＲ３は、光源ＥＭ１及びＥＭ２を消灯するように制御する。そして、駆動部ＤＲ３は、カメラ１Ａを制御して液晶素子ＬＣＤを介して撮影する。あるいは、駆動部ＤＲ３は、センサ１Ｂを制御して、液晶素子ＬＣＤを介してセンシングする。このような制御により、カメラ１Ａによる撮影、あるいは、センサ１Ｂによるセンシングに際して、光源ＥＭ１及びＥＭ２からの照明光の影響を受けることはない。
【００５９】
カメラ１Ａ及びセンサ１Ｂを使用しない時には、領域Ａ２において画像を表示することが可能となる。すなわち、駆動部ＤＲ３は、光源ＥＭ１及びＥＭ２を点灯するように制御する。また、駆動部ＤＲ２は、散乱制御素子ＳＴが散乱状態となるように制御する。これにより、光源ＥＭ１及びＥＭ２から出射された照明光は、散乱状態の散乱制御素子ＳＴによって拡散される。  
図８等を参照しながら説明したように、導光板ＬＧに開口部ＯＰ１が設けられた照明装置ＩＬにおいては、光源ＥＭＡからの照明光が開口部ＯＰ１の内側には到達せず、液晶パネルＰＮＬのうち、開口部ＯＰ１に重畳する領域Ａ２を十分に照明することができない。本構成例においては、領域Ａ２は、その直下に配置された光源ＥＭ１及びＥＭ２からの照明光によって照明される。このため、導光板ＬＧに開口部ＯＰ１を設けたことに起因する照明光の輝度の不均一性を緩和することが可能となる。また、駆動部ＤＲ１が領域Ａ２の画素ＰＸ２を制御することにより、領域Ａ２に画像を表示することができる。
【００６０】
図１１は、電子機器１００の他の構成例を示す平面図である。図１１に示した構成例は、図９に示した構成例と比較して、開口部ＯＰ３に多くの光源ＥＭ３を備えている点で相違している。図示した例において、光源ＥＭ３は、カメラ１Ａ及びセンサ１Ｂの周囲に設けられている。
【００６１】
図１２は、図１１に示したＥ−Ｆ線に沿った電子機器１００の断面図である。光源ＥＭ３は、液晶素子ＬＣＤに対向する発光面３Ｆを有している。光源ＥＭ３は、図９に示した光源ＥＭ１及びＥＭ２と同様に、光源ＥＭＡより小さく、さらには、光源ＥＭ１及びＥＭ２よりもさらに小さい。このような構成例の電子機器１００において、説明を省略するが、図１０を参照して説明した制御例が適用される。
【００６２】
図１１及び図１２に示した構成例においても、図１０に示した構成例と同様の効果が得られる。また、複数の光源ＥＭ３がカメラ１Ａの周囲及びセンサ１Ｂの周囲に配置されたことにより、光源ＥＭ３の発光面３Ｆを傾斜させることなく、開口部ＯＰ３の重畳する領域を照明することができ、しかも、照明光の輝度の不均一性を緩和することができる。  
このような構成例において、光源ＥＭ３が第２光源に相当する。
【００６３】
図１３は、電子機器１００の他の構成例を示す断面図である。図１３に示した構成例は、図１２に示した構成例と比較して、光源ＥＭ３がカメラ１Ａ及びセンサ１Ｂの周囲のみならず、カメラ１Ａ及びセンサ１Ｂの内部に設けられている点で相違している。このため、図１２に示した構成例よりも、開口部ＯＰ３の内部において、より多くの光源ＥＭ３を均一に配置することができる。  
図１３に示した構成例においても、上記の構成例と同様の効果が得られる。加えて、光源ＥＭ３がカメラ１Ａ及びセンサ１Ｂの内部に設けられているため、散乱制御素子ＳＴが配置されなくとも、開口部ＯＰ３においてほぼ均一な輝度の照明光を生成することができる。また、散乱制御素子ＳＴを省略することで、部品点数を削減することができ、また、制御を簡素化することができる。
【００６４】
図１４は、電子機器１００の他の構成例を示す断面図である。図１４に示した構成例は、上記構成例と比較して、第２光源として光源ＥＭ４がカメラ１及びセンサ１Ｂと液晶パネルＰＮＬとの間に設けられ、また、波長変換素子ＴＳが光源ＥＭ４と液晶パネルＰＮＬとの間に設けられた点で相違している。複数の光源ＥＭ４は、透明な支持基板ＳＵＢ３に設けられている。光源ＥＭ４は、カメラ１Ａ及びセンサ１Ｂと重畳する領域においては、カメラ１Ａ及びセンサ１Ｂの周囲よりも疎らに配置されていることが望ましい。波長変換素子ＴＳは、カメラ１Ａ及びセンサ１Ｂと重畳するため、無着色であることが望ましい。
【００６５】
例えば、光源ＥＭ４は青色光や紫外光を出射するものであり、波長変換素子ＴＳは光源ＥＭ４からの光を吸収して吸収した光の波長よりも長波長の光を発光するものである。波長変換素子ＴＳは、発光材料として、例えば量子ドットを含むが、これに限らず、蛍光や燐光を発するものを含んでいてもよい。
【００６６】
一例では、光源ＥＭ４は、紫外線波長の光（励起光）を出射する。波長変換素子ＴＳは、励起光を吸収して、青色、緑色、及び、赤色にそれぞれ発光し、白色の照明光を生成する。  
他の例では、光源ＥＭ４は、青色波長の光（励起光）を出射する。波長変換素子ＴＳは、励起光を吸収して黄色に発光する。したがって、変換光である黄色光と、無変換光である青色光とが混合された白色の照明光が生成される。  
なお、ここでは、照明光として白色光を出射する場合について説明したが、これに限らず、他の色の照明光を出射してもよい。
【００６７】
図１５は、電子機器１００の他の構成例を示す断面図である。図１５に示した構成例は、図１４に示した構成例と比較して、第２光源として赤色の光源ＥＭｒ、緑色の光源ＥＭｇ、及び、青色の光源ＥＭｂを備えている点で相違している。これらの光源ＥＭｒ、ＥＭｇ、ＥＭｂは、透明な支持基板ＳＵＢ３に設けられている。光源ＥＭｒ、ＥＭｇ、ＥＭｂは、カメラ１Ａ及びセンサ１Ｂに重畳する領域において、疎らに配置されることが望ましい。また、光源ＥＭｒ、ＥＭｇ、ＥＭｂが液晶素子ＬＣＤの画素と同等のサイズである場合には、液晶素子ＬＣＤにおいて、開口部ＯＰ３に重畳する開口部（ノッチまたは貫通孔）を形成してもよく、開口部ＯＰ３に重畳する領域では、光源ＥＭｒ、ＥＭｇ、ＥＭｂの輝度を制御することでカラー画像を表示することができる。
また、図１等を参照して説明した構成例において、図８乃至図１５を参照して説明したそれぞれの構成例のように導光板ＬＧの開口部ＯＰ１内に光源ＥＭを設けることで、開口部ＯＰ１に重畳する領域を照明することができ、領域Ａ２に画像を表示することができる。
【００６８】
以上説明したように、本実施形態によれば、照明光の輝度の不均一性を緩和することが可能な照明装置、及び、それを組み込んだ電子機器を提供することができる。
【００６９】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００７０】
ＩＬ…照明装置  １Ａ…カメラ  １Ｂ…センサ  ＬＧ…導光板  ＥＭ…光源  ＯＰ…開口部  ＰＮＬ…液晶パネル  ＳＴ…散乱制御素子  ＴＳ…波長変換素子  Ｆ１、Ｆ２…配線基板
【図１】
2020034747.tif 000003
【図２】
2020034747.tif 000004
【図３】
2020034747.tif 000005
【図４】
2020034747.tif 000006
【図５】
2020034747.tif 000007
【図６】
2020034747.tif 000008
【図７】
2020034747.tif 000009
【図８】
2020034747.tif 000010
【図９】
2020034747.tif 000011
【図１０】
2020034747.tif 000012
【図１１】
2020034747.tif 000013
【図１２】
2020034747.tif 000014
【図１３】
2020034747.tif 000015
【図１４】
2020034747.tif 000016
【図１５】
2020034747.tif 000017